(57)【要約】【課題】画像形成装置から容易に企業向け等のコンテンツにアクセス可能な画像形成システムを提供する。【解決手段】  画像形成システムＸは、コンテンツの管理を行う管理サーバー１と、管理サーバー１から情報を取得可能な画像形成装置２とを含む画像形成システムである。管理サーバー１の機種特定情報取得部１００は、画像形成装置２の機種を特定するための機種特定情報４００を取得する。操作パネル特定部１１０は、取得された機種特定情報４００により、画像形成装置２の操作パネル部２６の種類を特定する。表示操作データ作成部１２０は、特定された操作パネル部２６に最適化した、コンテンツの閲覧のための表示及び操作用のデータである表示操作データ３２０を作成する。表示操作データ送信部１３０は、表示操作データ作成部１２０により作成された表示操作データ３２０を画像形成装置２へ送信する。【選択図】図３
2018174368.tif 000002
【特許請求の範囲】
【請求項１】
コンテンツの管理を行う管理サーバーと、前記管理サーバーから情報を取得可能な画像形成装置とを含む画像形成システムであって、
前記管理サーバーは、
前記画像形成装置から、前記画像形成装置の機種を特定するための機種特定情報を取得する機種特定情報取得部と、
前記機種特定情報取得部により取得された前記機種特定情報により、前記画像形成装置の操作パネル部の種類を特定する操作パネル特定部と、
前記操作パネル特定部により特定された前記操作パネル部に最適化した、前記コンテンツの閲覧のための表示及び操作用のデータである表示操作データを作成する表示操作データ作成部と、
前記表示操作データ作成部により作成された前記表示操作データを前記画像形成装置へ送信する表示操作データ送信部とを備え、
前記画像形成装置は、
前記機種特定情報を前記管理サーバーに送信する機種特定情報送信部と、
前記機種特定情報送信部により送信された前記機種特定情報に対応した前記表示操作データを、前記管理サーバーの前記表示操作データ送信部から受信する表示操作データ受信部と、
前記表示操作データ受信部により受信された前記表示操作データを解釈して前記操作パネル部に表示させ、前記表示操作データに対応する操作による入力を取得する表示操作取得部と、
前記表示操作取得部により取得された前記入力に対応した処理を実行する入力処理実行部とを備える
ことを特徴とする画像形成システム。
【請求項２】
前記管理サーバーの前記表示操作データ作成部は、
特定された前記操作パネル部の表示部の解像度並びに色域、及び特定された前記操作パネル部の入力部の構成に対応した最適化を行って、前記表示操作データを作成する
ことを特徴とする請求項１に記載の画像形成システム。
【請求項３】
前記管理サーバーの前記表示操作データ作成部は、
特定された前記操作パネル部の前記入力部がタッチパネルを含む場合、前記表示部に表示される領域内に、タッチ操作による前記入力が可能な操作情報を割り当て、
特定された前記操作パネル部の前記入力部がハードキーを含む場合、前記ハードキーの押下による前記入力が可能な操作情報を割り当てる
ことを特徴とする請求項２に記載の画像形成システム。
【請求項４】
コンテンツの管理を行う管理サーバーであって、
画像形成装置から、前記画像形成装置の機種を特定するための機種特定情報を取得する機種特定情報取得部と、
前記機種特定情報取得部により取得された前記機種特定情報により、前記画像形成装置の操作パネル部の種類を特定する操作パネル特定部と、
前記操作パネル特定部により特定された前記操作パネル部に最適化した、前記コンテンツの閲覧のための表示及び操作用のデータである表示操作データを作成する表示操作データ作成部と、
前記表示操作データ作成部により作成された前記表示操作データを前記画像形成装置へ送信する表示操作データ送信部とを備える
ことを特徴とする管理サーバー。
【請求項５】
コンテンツの管理を行う管理サーバーから情報を取得可能な画像形成装置であって、
自装置の機種を特定するための機種特定情報を前記管理サーバーに送信する機種特定情報送信部と、
前記機種特定情報送信部により送信された前記機種特定情報に対応した、前記コンテンツの閲覧のための表示及び操作用のデータである表示操作データを、前記管理サーバーから受信する表示操作データ受信部と、
前記表示操作データ受信部により受信された前記表示操作データを解釈して操作パネル部に表示させ、前記表示操作データに対応する操作による入力を取得する表示操作取得部と、
前記表示操作取得部により取得された前記入力に対応した処理を実行する入力処理実行部とを備える
ことを特徴とする画像形成装置。
【請求項６】
コンテンツの管理を行う管理サーバーと、前記管理サーバーから情報を取得可能な画像形成装置とを含む画像形成システムにより実行される画像形成方法であって、
前記画像形成装置は、前記画像形成装置の機種を特定するための機種特定情報を前記管理サーバーに送信し、
前記管理サーバーは、前記画像形成装置から、前記機種特定情報を取得し、
前記管理サーバーは、取得された前記機種特定情報により、前記画像形成装置の操作パネル部の種類を特定し、
前記管理サーバーは、特定された前記操作パネル部に最適化した、前記コンテンツの閲覧のための表示及び操作用のデータである表示操作データを作成し、
前記管理サーバーは、作成された前記表示操作データを前記画像形成装置へ送信し、
前記画像形成装置は、送信された前記表示操作データを、前記管理サーバーから受信し、
前記画像形成装置は、受信された前記表示操作データを解釈して前記操作パネル部に表示させ、前記表示操作データに対応する操作による入力を取得し、
前記画像形成装置は、取得された前記入力に対応した処理を実行する
ことを特徴とする画像形成方法。
【発明の詳細な説明】
【技術分野】
【０００１】
本発明は、画像形成システム、管理サーバー、画像形成装置、及び画像形成方法に係り、特にＥＣＭ（Enterprise Content Management）のような企業向けのコンテンツ等の管理を行う画像形成システム、管理サーバー、画像形成装置、及び画像形成方法に関する。
【背景技術】
【０００２】
従来から、文書や画像を印刷可能な複合機（Multifunctional Peripheral, MFP）等の画像形成装置が存在する。
一方、企業向けのコンテンツの管理として、ＥＣＭ（Enterprise Content Management）を実行するツールとこれを実行するサーバーとが普及してきている。
ＥＣＭを実行する管理サーバーは、会社等の組織内の業務に関する文書ファイル等を含むコンテンツを保存し、配信することが可能である。
【０００３】
ここで、特許文献１を参照すると、装置の状態が変化する場合であっても、変化した後の状態に適したページの送信をサーバーに要求する画像形成装置が記載されている。特許文献１の装置は、画像を表示する表示部と、サーバーにマークアップ言語で記述されたページの送信を要求するために、ページ送信要求を送信する要求部と、ページ送信要求の送信に応じてサーバーから受信されるページを解釈して画面を生成し、生成された画面を表示手段に表示するレンダリング部と、装置の状態を検出する状態検出部と、第１の種類のユーザーエージェントと第２の種類のユーザーエージェントとのうちから、検出された状態に対応する種類のユーザーエージェントを選択するエージェント選択部とを備える。要求部は、ページ送信要求に選択されたユーザーエージェントを設定する設定部を含んでいる。
【先行技術文献】
【特許文献】
【０００４】
【特許文献１】特開２０１４−３８３７８号公報
【発明の概要】
【発明が解決しようとする課題】
【０００５】
しかしながら、特許文献１の装置は、単にウェブブラウザーの「ユーザーエージェント」を変更して、ウェブサーバーから異なる種類のウェブページを取得するだけの構成であった。
このため、画像形成装置の機種別の「操作パネル部の特性」に合わせて、ＥＣＭ等における表示及び操作用の画面を表示することが難しかった。
【０００６】
本発明は、このような状況に鑑みてなされたものであって、上述の問題点を解消する画像形成システムを提供することを課題とする。
【課題を解決するための手段】
【０００７】
本発明の画像形成システムは、コンテンツの管理を行う管理サーバーと、前記管理サーバーから情報を取得可能な画像形成装置とを含む画像形成システムであって、前記管理サーバーは、前記画像形成装置から、前記画像形成装置の機種を特定するための機種特定情報を取得する機種特定情報取得部と、前記機種特定情報取得部により取得された前記機種特定情報により、前記画像形成装置の操作パネル部の種類を特定する操作パネル特定部と、前記操作パネル特定部により特定された前記操作パネル部に最適化した、前記コンテンツの閲覧のための表示及び操作用のデータである表示操作データを作成する表示操作データ作成部と、前記表示操作データ作成部により作成された前記表示操作データを前記画像形成装置へ送信する表示操作データ送信部とを備え、前記画像形成装置は、前記機種特定情報を前記管理サーバーに送信する機種特定情報送信部と、前記機種特定情報送信部により送信された前記機種特定情報に対応した前記表示操作データを、前記管理サーバーの前記表示操作データ送信部から受信する表示操作データ受信部と、前記表示操作データ受信部により受信された前記表示操作データを解釈して前記操作パネル部に表示させ、前記表示操作データに対応する操作による入力を取得する表示操作取得部と、前記表示操作取得部により取得された前記入力に対応した処理を実行する入力処理実行部とを備えることを特徴とする。
本発明の画像形成システムは、前記管理サーバーの前記表示操作データ作成部は、特定された前記操作パネル部の表示部の解像度並びに色域、及び特定された前記操作パネル部の入力部の構成に対応した最適化を行って、前記表示操作データを作成することを特徴とする。
本発明の画像形成システムは、前記管理サーバーの前記表示操作データ作成部は、特定された前記操作パネル部の前記入力部がタッチパネルを含む場合、前記表示部に表示される領域内に、タッチ操作による前記入力が可能な操作情報を割り当て、特定された前記操作パネル部の前記入力部がハードキーを含む場合、前記ハードキーの押下による前記入力が可能な操作情報を割り当てることを特徴とする。
本発明の管理サーバーは、コンテンツの管理を行う管理サーバーであって、画像形成装置から、前記画像形成装置の機種を特定するための機種特定情報を取得する機種特定情報取得部と、前記機種特定情報取得部により取得された前記機種特定情報により、前記画像形成装置の操作パネル部の種類を特定する操作パネル特定部と、前記操作パネル特定部により特定された前記操作パネル部に最適化した、前記コンテンツの閲覧のための表示及び操作用のデータである表示操作データを作成する表示操作データ作成部と、前記表示操作データ作成部により作成された前記表示操作データを前記画像形成装置へ送信する表示操作データ送信部とを備えることを特徴とする。
本発明の画像形成装置は、コンテンツの管理を行う管理サーバーから情報を取得可能な画像形成装置であって、自装置の機種を特定するための機種特定情報を前記管理サーバーに送信する機種特定情報送信部と、前記機種特定情報送信部により送信された前記機種特定情報に対応した、前記コンテンツの閲覧のための表示及び操作用のデータである表示操作データを、前記管理サーバーから受信する表示操作データ受信部と、前記表示操作データ受信部により受信された前記表示操作データを解釈して操作パネル部に表示させ、前記表示操作データに対応する操作による入力を取得する表示操作取得部と、前記表示操作取得部により取得された前記入力に対応した処理を実行する入力処理実行部とを備えることを特徴とする。
本発明の画像形成方法は、コンテンツの管理を行う管理サーバーと、前記管理サーバーから情報を取得可能な画像形成装置とを含む画像形成システムにより実行される画像形成方法であって、前記画像形成装置は、前記画像形成装置の機種を特定するための機種特定情報を前記管理サーバーに送信し、前記管理サーバーは、前記画像形成装置から、前記機種特定情報を取得し、前記管理サーバーは、取得された前記機種特定情報により、前記画像形成装置の操作パネル部の種類を特定し、前記管理サーバーは、特定された前記操作パネル部に最適化した、前記コンテンツの閲覧のための表示及び操作用のデータである表示操作データを作成し、前記管理サーバーは、作成された前記表示操作データを前記画像形成装置へ送信し、前記画像形成装置は、送信された前記表示操作データを、前記管理サーバーから受信し、前記画像形成装置は、受信された前記表示操作データを解釈して前記操作パネル部に表示させ、前記表示操作データに対応する操作による入力を取得し、前記画像形成装置は、取得された前記入力に対応した処理を実行することを特徴とする。
【発明の効果】
【０００８】
本発明によれば、機種特定情報により、画像形成装置の操作パネル部の種類そのものを特定し、これに最適化した、コンテンツの閲覧のための表示及び操作用のデータである表示操作データを作成することで、画像形成装置の操作パネル部の特性に合わせた、ＥＣＭ等における操作性の高い表示及び操作用の画面を表示することが可能な画像形成システムを提供することができる。
【図面の簡単な説明】
【０００９】
【図１】本発明の実施の形態に係る画像形成システムのシステム構成図である。
【図２】図１に示す操作パネル部の概略平面図である。
【図３】本発明の実施の形態に係る画像形成システムの機能構成を示すブロック図である。
【図４】本発明の実施の形態に係る表示操作画面表示処理のフローチャートである。
【図５】図４に示す表示操作画面表示処理の概念図である。
【発明を実施するための形態】
【００１０】
＜実施の形態＞
〔画像形成システムＸのシステム構成〕
まず、図１を参照して、本発明の実施の形態に係る画像形成システムＸのシステム構成について説明する。
本実施形態の画像形成システムＸは、管理サーバー１と、管理サーバー１からコンテンツを出力可能な画像形成装置２とを含み、これらの装置がネットワーク５で接続されている。
【００１１】
管理サーバー１は、企業向けのコンテンツ（enterprise contents）等の管理を行うＥＣＭ（Enterprise Content Management）サーバー等である。
本実施形態において、管理サーバー１は、汎用機、ＰＣ（Personal Computer）サーバー、ＮＡＳ（Network Attached Storage）等であってもよい。
【００１２】
画像形成装置２は、ＭＦＰ、ネットワークスキャナー、ドキュメントスキャナー、ネットワークＦＡＸ、プリンター等の画像形成装置である。画像形成装置２は、管理サーバー１と接続するためのアプリケーションソフトウェア（Application Software、以下、単に「アプリ」という。）を実行してもよい。
本実施形態においては、画像形成装置２は、管理サーバー１と連携してコンテンツを管理するためのコンテンツ取得アプリを含む制御プログラムを実行する。これにより、画像形成装置２は、管理サーバーからコンテンツを取得可能である。
【００１３】
ネットワーク５は、本実施形態においては、イントラネット（Intranet）等のＬＡＮ（Local Area Network）、インターネット（登録商標）や携帯電話網等のＷＡＮ（Wide Area Network）等である。ネットワーク５がＷＡＮの場合、ルーター（Router）やゲートウェイ（Gateway）等を介して、他の管理サーバーに接続可能であってもよい。また、ネットワーク５は、ＶＰＮ（Virtual Private Network）を構成していてもよい。
【００１４】
また、管理サーバー１は、制御部１０、ネットワーク送受信部１５、及び記憶部１９を含んでいる。
【００１５】
制御部１０は、ＧＰＰ（General Purpose Processor）、ＣＰＵ（Central Processing Unit、中央処理装置）、ＭＰＵ（Micro Processing Unit）、ＤＳＰ（Digital Signal Processor）、ＧＰＵ（Graphics Processing Unit）、ＡＳＩＣ（Application Specific Processor、特定用途向けプロセッサー）等の情報処理部である。
制御部１０は、記憶部１９のＲＯＭやＳＳＤやＨＤＤに記憶されている制御プログラムを読み出して、この制御プログラムをＲＡＭに展開させて実行することで、後述する機能ブロックの各手段として動作させられる。
なお、制御部１０は、ＲＡＭやＲＯＭやフラッシュメモリー等を内蔵していてもよい。また、制御部１０は、データベースの管理や検索速度を高速化するアクセレレーター等を含んでいてもよい。
【００１６】
ネットワーク送受信部１５は、ネットワーク５に接続するためのＬＡＮボードや無線送受信機等を含むネットワーク接続部である。
【００１７】
記憶部１９は、一時的でない記録媒体である。記憶部１９は、主記憶部として、ＲＡＭ（Random Access Memory）等を含んでいてもよい。また、記憶部１９は、補助記憶部として、ＲＯＭ（Read Only Memory）、ｅＭＭＣ（embedded Multi Media Card）、ＳＳＤ（Solid State Drive）等の半導体記録媒体、及びＨＤＤ（Hard Disk Drive）等を含んでいてもよい。この場合、記憶部１９の補助記憶部には管理サーバー１の動作制御を行うための制御プログラムが記憶されている。
また、記憶部１９には、ユーザー毎の文書ボックス（保存フォルダー、共有フォルダー）の領域が含まれていてもよい。
また、本発明の実施の形態において、記憶部１９は、コンテンツを格納するコンテンツ記憶部となる。
【００１８】
また、画像形成装置２は、画像処理部２１、原稿読取部２２、原稿給送部２３、給紙部２４、ネットワーク送受信部２５、操作パネル部２６、画像形成部２７（画像形成手段）、ＦＡＸ送受信部２８、及び記憶部２９等を含む。各部は、制御部２０に接続され、制御部２０によって動作制御される。
【００１９】
制御部２０は、ＧＰＰ、ＣＰＵ、ＭＰＵ、ＤＳＰ、ＧＰＵ、ＡＳＩＣ等の情報処理部である。
制御部２０は、記憶部２９のＲＯＭやＨＤＤに記憶されている制御プログラムを読み出して、この制御プログラムをＲＡＭに展開させて実行することで、後述する機能ブロックの各手段として動作させられる。また、制御部２０は、図示しない外部の端末や操作パネル部２６から入力された所定の指示に応じて、装置全体の制御を行う。
【００２０】
画像処理部２１は、ＤＳＰやＧＰＵ等の情報処理部である。画像処理部２１は、画像データに対して所定の画像処理を行う。画像処理部２１は、例えば、拡大縮小、濃度調整、階調調整、画像改善等の各種画像処理を行う。
画像処理部２１は、原稿読取部２２で読み取られた画像を、記憶部２９に文書データとして記憶する。この際、画像処理部２１は、印刷データをＰＤＦやＴＩＦＦ等のフォーマットのファイル単位に変換することも可能である。
【００２１】
原稿読取部２２は、セットされた原稿を読み取る（スキャン）。また、原稿読取部２２は、画像形成装置２の本体部の上部に配設される。
原稿読取部２２は、スキャナーと、プラテンガラスと、原稿読取スリットとを備えている。原稿読取部２２は、プラテンガラスに載置された原稿を読み取る場合には、スキャナーをプラテンガラスに対向する位置に移動させ、プラテンガラスに載置された原稿を走査しながら読み取って画像データを取得し、取得した画像データを記憶部２９に格納する。
【００２２】
また、原稿読取部２２は、原稿給送部２３から給送された原稿を読み取る場合には、スキャナーを、原稿読取スリットと対向する位置に移動させる。そして、原稿読取部２２は、原稿読取スリットを介し、原稿給送部２３による原稿の搬送動作と同期して原稿を読み取って、画像データを取得する。原稿読取部２２は、取得した画像データを記憶部２９に格納する。
【００２３】
原稿給送部２３は、原稿読取部２２で読み取られる原稿を搬送する。原稿給送部２３は、原稿読取部２２の上部に配設されている。
原稿給送部２３は、原稿載置部と、原稿搬送機構とを備えている。原稿給送部２３は、原稿載置部に載置された原稿を、原稿搬送機構によって１枚ずつ順に繰り出して、原稿読取部２２に給送する。
【００２４】
給紙部２４は、記録紙を１枚ずつ画像形成部２７に向けて繰り出す手段である。給紙部２４は、本体部に備えられている。
【００２５】
ネットワーク送受信部２５は、ネットワーク５に接続するためのＬＡＮボードや無線送受信機等を含むネットワーク接続部である。
ネットワーク送受信部２５は、データ通信用の回線ではデータを送受信し、音声電話回線では音声信号を送受信する。
【００２６】
操作パネル部２６は、画像形成装置２のフロント側に配設され、各種表示を行い、ユーザーの操作を取得するユーザーインターフェイス部である。
操作パネル部２６の詳細については、後述する。
【００２７】
画像形成部２７は、管理サーバー１から取得されたコンテンツ、記憶部２９に格納され、原稿読取部２２で読み取られ、又は外部の端末から取得された文書データ等の記録紙への画像形成を行わせる。
画像形成部２７は、感光体ドラム、露光部、現像部、転写部、及び定着部等を備えている。画像形成部２７は、帯電、露光、現像、転写、定着からなる画像形成プロセスを実行することで記録紙にトナー像を記録する。
【００２８】
ＦＡＸ送受信部２８は、ファクシミリの送受信を行う手段である。ＦＡＸ送受信部２８は、音声回線により、他のＦＡＸ装置（図示せず）からファクシミリ受信して、記憶部２９に保存し、画像形成部２７で画像形成させることが可能である。
また、ＦＡＸ送受信部２８は、管理サーバー１から取得されたコンテンツ、原稿読取部２２で読み取られた原稿や外部の端末から送信されたネットワークＦＡＸのデータを画像データに変換して、他のＦＡＸ装置へ音声回線でファクシミリ送信することが可能である。
【００２９】
記憶部２９は、ＲＯＭ、ＲＡＭ等の半導体記録媒体やＨＤＤ等の一時的でない記録媒体である。
記憶部２９のＲＯＭやＨＤＤには画像形成装置２の動作制御を行うための制御プログラムが記憶されている。これに加えて、記憶部２９は、ユーザーのアカウント設定も記憶している。また、記憶部２９にも、ユーザー毎の文書ボックスの領域が含まれていてもよい。
【００３０】
ここで、図２により、操作パネル部２６の詳細について説明する。
操作パネル部２６は、入力部４６と、表示部４７とを備えている。
【００３１】
入力部４６は、ユーザーによる画像形成装置２への指示を取得するボタン（ハードキー）やタッチパネル等の入力手段である。
このハードキーは、数字キーを含むテンキー、矢印キー、機能割り当てボタン、スタートボタン（決定キー）、キャンセルボタン、動作モードの切り換えボタン、ジョブの実行に係る指示を行うボタン等を含む。この動作モードとしては、コピー、プリンター、スキャナー、ＦＡＸ送信等の種類のモードを含んでいてもよい。また、ジョブは、選択された文書の印刷、送信、保存、及び記録等を含んでいる。
また、入力部４６のタッチパネルは、静電誘導タッチパネル、抵抗膜式タッチパネル、赤外線やレーザーや超音波等によるタッチ位置検出機構等を含む。このタッチパネルは、表示部４７上の複数位置の座標を検出可能であってもよい。また、タッチパネルは、表示部４７の表示領域以外の箇所の座標を検出可能であってもよい。
また、入力部４６は、本実施形態において、後述する選択をさせることが可能である。なお、入力部４６から取得したユーザーの指示により、各ユーザーの情報を入力、変更することも可能である。
【００３２】
表示部４７は、ＬＣＤ（Liquid Crystal Display）、有機ＥＬ（Organic EL, Organic Light-emitting Diode）、ＦＥＤ（Field Emission Display）、蛍光表示管等の平面ディスプレイパネル、プロジェクター、ＬＥＤ（Light Emitting Diode）等である。
表示部４７は、ＧＵＩ（Graphical User Interface）の各種操作画面を表示することが可能である。
また、表示部４７の表示解像度、色を表現できる範囲や色温度や階調（以下、単に「色域」という。）は、表示部４７で使用されている表示方式やパネルの種類により異なっている。たとえば、特定の表示パネルでは、６００ｐｐｉ（pixel per inch）以上の高解像度の有機ＥＬディスプレイでｓＲＧＢ色域以上に表現可能な高色域パネルでタッチパネルと一体形成されていてもよい。また、別の特定の表示パネルでは、１６階調のみ表示可能な色域の狭いＬＣＤパネルでタッチパネルはあってもよい。また、特定の表示パネルでは、モノクロ二階調のＬＣＤでタッチパネルを内蔵しない、といった差があってもよい。なお、表示部４７は、一般的に、高価で高性能で新しい画像形成装置２ほど、表示解像度が高く、色域が広くてもよい。また、機種にかかわらず、最低の表示解像度と、色域とが設定されていてもよい。
【００３３】
なお、外部記録媒体の入力部４６と表示部４７とは、タッチパネル付きディスプレイ等のように一体的に構成されていてもよい。
また、画像形成装置２の機種が異なっていても、同様の入力部４６及び／又は表示部４７を搭載していてもよい。
【００３４】
また、画像形成装置２において、制御部２０及び画像処理部２１は、ＧＰＵ内蔵ＣＰＵ等やチップ・オン・モジュールパッケージのように、一体的に形成されていてもよい。
また、制御部２０及び画像処理部２１は、ＲＡＭやＲＯＭやフラッシュメモリー等を内蔵していてもよい。
【００３５】
〔画像形成システムＸの機能構成〕
ここで、図３を参照し、画像形成システムＸの機能構成について説明する。
管理サーバー１の制御部１０は、機種特定情報取得部１００、操作パネル特定部１１０、表示操作データ作成部１２０、及び表示操作データ送信部１３０を備えている。
管理サーバー１の記憶部１９は、機種操作パネルＤＢ３００、コンテンツＤＢ３１０、表示操作データ３２０、及び機種特定情報４００を格納する。
画像形成装置２の制御部２０は、機種特定情報送信部２００、表示操作データ受信部２１０、表示操作取得部２２０、及び入力処理実行部２３０を備えている。
画像形成装置２の記憶部２９は、表示操作データ３２０、及び機種特定情報４００を格納する。
【００３６】
機種特定情報取得部１００は、画像形成装置２から機種特定情報４００を取得し、記憶部１９に格納する。このため、機種特定情報取得部１００は、ウェブサーバーに埋め込まれたモジュール等として実装されていてもよい。
【００３７】
操作パネル特定部１１０は、機種特定情報取得部１００により取得された機種特定情報４００により、画像形成装置２の操作パネル部２６の種類を特定する。
【００３８】
表示操作データ作成部１２０は、操作パネル特定部１１０により特定された操作パネル部２６に最適化した表示操作データ３２０を作成する。
また、表示操作データ作成部１２０は、特定された操作パネル部２６の表示部４７の解像度並びに色域、及び特定された操作パネル部２６の入力部４６の構成に対応した最適化を行って、表示操作データ３２０を作成する。
また、表示操作データ作成部１２０は、特定された操作パネル部２６の入力部４６がタッチパネルを含む場合、表示部４７に表示される領域内に、タッチ操作による入力が可能な操作情報を割り当てる。また、表示操作データ作成部１２０は、特定された操作パネル部２６の入力部４６がハードキーを含む場合、ハードキーの押下による入力が可能な操作情報を割り当てる。
【００３９】
表示操作データ送信部１３０は、表示操作データ作成部１２０により作成された表示操作データ３２０を画像形成装置２へ送信する。このため、表示操作データ送信部１３０は、ウェブサーバーに埋め込まれたモジュール等として実装されていてもよい。
【００４０】
機種特定情報送信部２００は、記憶部２９に格納されている機種特定情報４００を管理サーバー１に送信する。
【００４１】
表示操作データ受信部２１０は、表示操作データ３２０を、管理サーバー１の表示操作データ送信部１３０から受信して、記憶部２９に格納する。この表示操作データ３２０は、機種特定情報送信部２００により送信された機種特定情報４００に対応したものである。
【００４２】
表示操作取得部２２０は、表示操作データ受信部２１０により受信された表示操作データ３２０を解釈して操作パネル部２６の表示部４７に表示させる。この際に、表示操作取得部２２０は、特定の表示フレームワークに対応した解釈を行って、表示情報を適切に表示させ、操作情報に対応した入力が可能なようにしてもよい。
また、表示操作取得部２２０は、表示操作データ３２０の表示に対応する操作による入力を、入力部４６のタッチパネルやハードキー等から取得する。
【００４３】
入力処理実行部２３０は、示操作取得部により取得された入力に対応した処理を実行する。この処理は、例えば、コンテンツの選択、取得、閲覧、出力に関するものであってもよい。より具体的には、入力処理実行部２３０は、表示部４７に表示されたコンテンツの選択、ダウンロード、表示、出力等の処理を実行してもよい。
なお、入力処理実行部２３０は、コンテンツのアップロード等のその他の処理も実行可能である。
【００４４】
機種操作パネルＤＢ３００は、画像形成装置２の機種特定情報４００に対応した操作パネル部２６の種類等が含まれるデータベースである。機種操作パネルＤＢ３００は、例えば、機種毎に、操作パネル部２６の、特に入力部４６のタッチパネルの有無及びハードキーの構成、表示部４７の表示パネルの種類や表示解像度や色域等についての情報が格納されている。このハードキーの構成は、各キーのＩＤ等の情報が含まれていてもよい。この各キーのＩＤについては、例えば、テンキーや矢印キーといった共通に備えられているものは、できるだけ機種間で共通になるように割り当てられていてもよい。
【００４５】
コンテンツＤＢ３１０は、コンテンツを格納したデータベースである。このコンテンツは、各種企業向けの文書、数値データ、バイナリー（binary）ファイル等であってもよい。また、コンテンツは、これらのデータ以外にも、ユーザーで閲覧可能なタイトル、作成、更新日時、閲覧したユーザーの履歴等のデータを含んでいてもよい。
また、コンテンツＤＢ３１０は、コンテンツを配置する表示操作画面の元データである、アイコン（icon）、レイアウトデータ、スクリプトデータ等を含んでいてもよい。
【００４６】
表示操作データ３２０は、コンテンツの閲覧のための表示及び操作用の画面（表示操作画面）を描画するためのデータである。つまり、表示操作データ３２０は、コンテンツの選択、取得、閲覧、出力等に関する表示及び操作用のデータである。表示操作データ３２０は、例えば、特定の表示フレームワークに対応したテキストデータ及びバイナリーデータを表示情報と操作情報として含んでいてもよい。この特定の表示フレームワークは、ＨＴＭＬ（HyperText Markup Language）やＸＭＬ（Extensible Markup Language）に基づき、画像形成装置２の操作や処理のための特定のタグやコマンド等を追加したものであってもよい。また、この特定の表示フレームワークは、画像形成装置２の各種機能を呼び出し可能であってもよい。また、この特定の表示フレームワークは、レイアウトデータにより、表示用の画像や文字を配置してもよい。また、この特定の表示フレームワークは、Ｊａｖａ（登録商標）スクリプト等のスクリプト言語のインタプリターやコンパイラー等の実行環境を含んでいてもよい。また、表示操作データ３２０の表示情報は、レイアウトデータを含むマークアップ言語のテキストデータと、アイコンや背景やその他のオブジェクト等を含む画像のバイナリーデータと、コンテンツのデータとを含んでいてもよい。また、表示操作データ３２０の操作情報は、例えば、タッチパネル又はハードキーの各キーのＩＤと入力との関係を示す情報と、入力された場合に呼び出す処理を記載した情報であってもよい。
【００４７】
機種特定情報４００は、画像形成装置２の機種を特定するための情報である。具体的には、機種特定情報４００は、画像形成装置２の機種名、機種ＩＤ、シリアル番号、仕様データ等であってもよい。また、機種特定情報４００は、各部の機種名及び仕様データ、オプション機器の有無等の構成の特徴等の情報も含んでいてもよい。また、機種特定情報４００は、画像形成装置２の工場出荷時にＲＯＭ等に書き込まれていてもよい。また、機種特定情報４００は、操作パネル部２６を含む各部が交換された場合に、この交換後の各部の機種名、機器ＩＤ、仕様データ等を含んでいてもよい。
【００４８】
ここで、管理サーバー１の制御部１０は、記憶部１９に記憶された制御プログラムを実行することで、機種特定情報取得部１００、操作パネル特定部１１０、表示操作データ作成部１２０、及び表示操作データ送信部１３０として機能させられる。
また、画像形成装置２の制御部２０は、記憶部２９に記憶された制御プログラムを実行することで、機種特定情報送信部２００、表示操作データ受信部２１０、表示操作取得部２２０、及び入力処理実行部２３０として機能させられる。
また、上述の管理サーバー１、画像形成装置２の各部は、本発明の画像形成方法を実行するハードウェア資源となる。
なお、上述の機能構成の一部又は任意の組み合わせをＩＣやプログラマブルロジック等でハードウェア的に構成してもよい。
【００４９】
〔画像形成システムＸによる表示操作画面表示処理〕
次に、図４〜図５を参照して、本発明の実施の形態に係る画像形成システムＸによる表示操作画面表示処理の説明を行う。
本実施形態の表示操作画面表示処理では、画像形成装置２から機種特定情報４００を取得し、これを管理サーバー１で受信する。管理サーバー１では、この機種特定情報４００で特定した操作パネル部２６の種類に対応した表示操作データ３２０を作成して、画像形成装置２へ送信する。画像形成装置２は、この表示操作データ３２０を受信して、表示し、操作による入力を取得して、入力に対応した処理を実行する。
本実施形態の表示操作画面表示処理は、主に、管理サーバー１の制御部１０が記憶部１９に記憶されたプログラムを、画像形成装置２の制御部２０が記憶部２９に記憶されたプログラムを、各部と協働し、ハードウェア資源を用いて実行する。
以下で、図４のフローチャートを参照して、表示操作画面表示処理の詳細をステップ毎に説明する。
【００５０】
（ステップＳ２０１）
まず、画像形成装置２の機種特定情報送信部２００が、機種特定情報送信処理を行う。
たとえば、ユーザーが、画像形成装置２の操作パネル部２６等から、コンテンツ取得アプリを起動する。すると、機種特定情報送信部２００は、コンテンツ取得アプリを実行し、管理サーバー１に接続する。この際に、ユーザー認証等を行ってもよい。
接続が確認できた後、機種特定情報送信部２００は、記憶部２９に格納された機種特定情報４００を管理サーバー１へ送信する。
【００５１】
（ステップＳ１０１）
ここで、管理サーバー１の機種特定情報取得部１００が、機種特定情報取得処理を行う。
機種特定情報取得部１００は、画像形成装置２の機種特定情報送信部２００が送信した機種特定情報４００を受信して、記憶部１９に格納する。
【００５２】
（ステップＳ１０２）
次に、操作パネル特定部１１０が、操作パネル特定処理を行う。
操作パネル特定部１１０は、取得した機種特定情報４００により、機種操作パネルＤＢ３００を検索して、画像形成装置２の機種を特定する。そして、操作パネル特定部１１０は、機種操作パネルＤＢ３００を更に参照して、機種特定情報４００に対応する操作パネル部２６の、特に入力部４６のタッチパネルの有無及びハードキーの構成、表示部４７の表示パネルの種類や表示解像度や色域等についての情報を特定する。
【００５３】
（ステップＳ１０３）
次に、表示操作データ作成部１２０が、表示操作データ作成処理を行う。
表示操作データ作成部１２０は、特定された操作パネル部２６に最適化した、表示操作データ３２０を作成する。
【００５４】
具体的には、表示操作データ作成部１２０は、特定された操作パネル部２６の表示部４７の解像度並びに色域に対応した、表示操作データ３２０を作成する。表示操作データ作成部１２０は、例えば、表示部４７が高解像度で高色域の有機ＥＬディスプレイ等であった場合、これに合わせて、高精細で階調表現豊かなカラーのアイコン等の画像を用いて、淡色の背景画像等を含んだ表示操作データ３２０を作成する。また、表示操作データ作成部１２０は、例えば、表示部４７が１６階調のみ表示可能で色温度が高い（青寄り）のＬＣＤ等であった場合、くっきりとした色合いで背景画像がなく、カラーパレットに赤系統の色を多くして調整し、表示を見やすくした表示操作データ３２０を作成してもよい。また、表示操作データ作成部１２０は、例えば、解像度が低く、白黒２階調のみのＬＣＤであった場合、白黒でディザリングをしたアイコン等の画像を使い、縮小文字をフォントとして指定した表示操作データ３２０を作成してもよい。
【００５５】
また、表示操作データ作成部１２０は、特定された操作パネル部２６の入力部４６の構成に対応した最適化も行って、表示操作データ３２０を作成する。表示操作データ作成部１２０は、入力部４６がタッチパネルを含む場合、表示部４７に表示される領域内に、タッチ操作による入力が可能な操作情報を割り当てる。表示操作データ作成部１２０は、例えば、表示領域に表示されるアイコンや文字に対して、入力された場合に特定の処理を呼び出し可能な「リンク」を操作情報として、表示操作データ３２０のマークアップ言語のタグ等で埋め込む。また、表示操作データ作成部１２０は、特定された操作パネル部２６の入力部４６がハードキーを含む場合、ハードキーの押下による入力が可能な操作情報を割り当てる。表示操作データ作成部１２０は、例えば、ハードキーの各キーのＩＤが押下されて入力された場合に、呼び出される処理を示す操作情報をタグ等で埋め込む。
なお、この埋め込まれたタグ等は、直接、表示部４７に表示されなくてもよい。
【００５６】
（ステップＳ１０４）
次に、表示操作データ送信部１３０が、表示操作データ送信処理を行う。
表示操作データ送信部１３０は、表示操作データ作成部１２０により作成された表示操作データ３２０を画像形成装置２へ送信する。
これにより、表示操作画面表示処理の管理サーバー１での処理は終了する。
なお、表示操作データ送信部１３０は、操作パネル特定処理による操作パネル部２６の特定ができなかった場合等は、表示操作データ３２０を送信しなくても、エラーを画像形成装置２に送信してもよい。また、この場合、表示操作データ送信部１３０は、一般的な機種用の表示操作データ３２０や、最低の表示解像度と色域とに対応した表示操作データ３２０を送信してもよい。
【００５７】
（ステップＳ２０２）
ここで、画像形成装置２の表示操作データ受信部２１０が表示操作データ受信処理を行う。
表示操作データ受信部２１０は、表示操作データ３２０を、管理サーバー１の表示操作データ送信部１３０から受信して、記憶部２９に格納する。この際、表示操作データ受信部２１０は、表示操作データ３２０に含まれる画像やマークアップ言語のテキストデータ等の単位で、それぞれ受信してもよい。
【００５８】
（ステップＳ２０３）
次に、表示操作取得部２２０が、表示操作取得処理を行う。
表示操作取得部２２０は、表示操作データ３２０を解釈する。この際、表示操作取得部２２０は、例えば、コンテンツ取得アプリにより、特定の表示フレームワークとして、コンテンツの取得や閲覧等に適した、画像形成装置２の操作や処理のための特定のタグやコマンドを解釈してもよい。表示操作取得部２２０は、解釈した表示操作データ３２０の表示情報を、操作パネル部２６の表示部４７に表示させる。この際に、表示操作取得部２２０は、表示情報を適切に表示させる。
また、表示操作取得部２２０は、表示操作データ３２０の操作情報に対応した入力が可能なように設定する。表示操作取得部２２０は、タッチパネルのタッチ操作による各リンクの入力を取得したり、ハードキーからの入力を取得したりしてもよい。つまり、表示操作取得部２２０は、操作情報に対応する操作による入力を、入力部４６のタッチパネルやハードキー等から取得する。
なお、表示操作取得部２２０は、タッチパネルとハードキーとに対応する操作をそれぞれ割り当ててもよい。
【００５９】
図５（ａ）の画面例５００は、高解像度で高色域な、タッチパネルと一体化した入力部４６及び表示部４７を備える操作パネル部２６に対応した、管理サーバー１のコンテンツの取得リストの表示操作データ３２０が表示された例である。この場合、背景画像があり、タッチ入力が可能な「閉じる（×）」、「印刷」、「送信」、「メニュー」、「戻る」のアイコンがそれぞれ描画される。また、コンテンツ名の下の各コンテンツにはリンクが貼られ、ここを押下することで、ダウンロードの指示等の入力を行うことが可能である。さらに、右端には、ドラッグ＆ドロップによりリストをスクロールさせる指示を入力するためのスクロールバーも表示されている。
図５（ｂ）の画面例５０１は、白黒二階調の表示部４７とハードキーのみの入力部４６とを備える操作パネル部２６に対応した、図５（ａ）と同様のコンテンツの取得リストの表示操作データ３２０が表示された例である。この場合、タッチパネル用のリンクやアイコンは表示されない。また、コンテンツを矢印キーで選択するための四角枠のようなカーソルが表示される。また、決定キーにより、このカーソル位置のコンテンツを選択して、ダウンロード等するように指示を入力可能である。また、矢印キーを更に押下するとスクロールさせることを示す三角印等も表示されていてもよい。加えて、各コンテンツの左横に丸数字が記載され、これと同じ数字をテンキーで押下することで、コンテンツを選択する指示を入力してもよい。
【００６０】
（ステップＳ２０４）
次に、入力処理実行部２３０が、入力処理実行処理を行う。
入力処理実行部２３０は、示操作取得部により取得された入力に対応した処理を実行する。この処理は、表示部４７に表示されたコンテンツの選択、ダウンロード、アップロード、出力等であってもよい。これらの処理は、表示操作データ３２０により異なっていてもよい。また、入力処理実行部２３０は、ダウンロードされたコンテンツを画像形成部２７で出力したり、ＦＡＸ送受信部２８でファクシミリ送信したり、電子メールやＦＴＰで送信したりして出力することも可能である。また、これらの出力の際に、制御部２０は、管理サーバー１におけるコンテンツの管理のルールに対応した出力を行うことが可能である。
なお、入力処理実行部２３０は、ユーザーの文書ボックスや、接続されたフラッシュメモリー等の外部記録媒体（図示せず）にコンテンツを格納してもよい。
以上により、本発明の実施の形態に係る表示操作画面表示処理を終了する。
【００６１】
以上のように構成することで、以下のような効果を得ることができる。
近年、ＥＣＭ等のコンテンツの管理サーバー及び管理ツールの開発を行うにあたって、画像形成装置との連携をうまく行いたいという技術上の要望があった。
ところが、従来、特許文献１の技術等では、単なるウェブページを送信するだけで、ＥＣＭ等によるコンテンツの閲覧に最適な操作パネル部の表示操作画面を送信することができなかった。
これに対して、本発明の実施の形態に係る画像形成システムＸは、企業向けのコンテンツ等の管理を行う管理サーバー１と、管理サーバー１から情報を取得可能な画像形成装置２とを含む画像形成システムであって、以下の特徴がある。管理サーバー１は、画像形成装置２から、画像形成装置２の機種を特定するための機種特定情報４００を取得する機種特定情報取得部１００と、機種特定情報取得部１００により取得された機種特定情報４００により、画像形成装置２の操作パネル部２６の種類を特定する操作パネル特定部１１０と、操作パネル特定部１１０により特定された操作パネル部２６に最適化した、コンテンツの閲覧のための表示及び操作用のデータである表示操作データ３２０を作成する表示操作データ作成部１２０と、表示操作データ作成部１２０により作成された表示操作データ３２０を画像形成装置２へ送信する表示操作データ送信部１３０とを備える。画像形成装置２は、機種特定情報４００を管理サーバー１に送信する機種特定情報送信部２００と、機種特定情報送信部２００により送信された機種特定情報４００に対応した表示操作データ３２０を、管理サーバー１の表示操作データ送信部１３０から受信する表示操作データ受信部２１０と、表示操作データ受信部２１０により受信された表示操作データ３２０を解釈して操作パネル部２６に表示させ、表示操作データ３２０に対応する操作による入力を取得する表示操作取得部２２０と、表示操作取得部２２０により取得された入力に対応した処理を実行する入力処理実行部２３０とを備える。
このように構成することで、画像形成装置２の機種毎に異なる操作パネル部２６に最適化した表示操作データ３２０により表示操作画面を描画することが可能となる。よって、画像形成装置２により、ＥＣＭ等によってコンテンツを選択、取得、閲覧、出力等する際に、通常のウェブブラウザー等に比べて、操作性を大きく向上させることができる。
【００６２】
また、本発明の実施の形態に係る画像形成システムＸは、管理サーバー１の表示操作データ作成部１２０は、特定された操作パネル部２６の表示部４７の解像度並びに色域、及び特定された操作パネル部２６の入力部４６の構成に対応した最適化を行って、表示操作データ３２０を作成することを特徴とする。
このように構成することで、画像形成装置２の表示部４７の表示パネルの特性や入力部４６のタッチパネルの有無等が異なっていても、最適な操作性でＥＣＭ等によってコンテンツを選択、取得、閲覧、出力等することができる。
【００６３】
また、本発明の実施の形態に係る画像形成システムＸは、管理サーバー１の表示操作データ作成部１２０は、特定された操作パネル部２６の入力部４６がタッチパネルを含む場合、表示部４７に表示される領域内に、タッチ操作による入力が可能な操作情報を割り当て、特定された操作パネル部２６の入力部４６がハードキーを含む場合、ハードキーの押下による入力が可能な操作情報を割り当てることを特徴とする。
このように構成することで、入力部４６にタッチパネルがない画像形成装置２であっても、ＥＣＭ等によってコンテンツを選択、取得、閲覧、出力等する際に、操作性を高めることができる。
【００６４】
〔他の実施の形態〕
なお、本発明の実施の形態においては、画像形成装置２の機種特定情報４００により、表示操作データ３２０を変更する例について説明した。
しかしながら、単なる機種を特定する情報だけではなく、ユーザーの環境等の環境情報を取得して、表示操作データ３２０を最適化してもよい。また、ユーザーが特定の色系統や表示のテーマの用いていた場合に、これに合わせて表示操作画面を最適化してもよい。たとえば、ユーザーが淡色（コントラスト低）の背景のＧＵＩを画像形成装置２に設定していた場合には、この設定に合わせて、表示操作データ３２０を淡色になるように最適化してもよい。
【００６５】
また、本発明の実施の形態においては、コンテンツを管理サーバー１から画像形成装置２で取得する例について記載した。
しかしながら、単なる出力ではなく、画像形成装置２で実際の文書等をスキャンして、差し換えたり、編集したりして、対応箇所を管理サーバー１に格納するような処理も可能である。
【００６６】
また、本発明は、画像形成装置以外の情報処理装置にも適用できる。つまり、ネットワークスキャナー、スキャナーをＵＳＢ等で別途接続した管理サーバー等を用いる構成であってもよい。
【００６７】
また、上記実施の形態の構成及び動作は例であって、本発明の趣旨を逸脱しない範囲で適宜変更して実行することができることは言うまでもない。
【符号の説明】
【００６８】
１  管理サーバー
２  画像形成装置
５  ネットワーク
１０、２０  制御部
１５、２５  ネットワーク送受信部
１９、２９  記憶部
２１  画像処理部
２２  原稿読取部
２３  原稿給送部
２４  給紙部
２６  操作パネル部
２７  画像形成部
２８  ＦＡＸ送受信部
４６  入力部
４７  表示部
１００  機種特定情報取得部
１１０  操作パネル特定部
１２０  表示操作データ作成部
１３０  表示操作データ送信部
２００  機種特定情報送信部
２１０  表示操作データ受信部
２２０  表示操作取得部
２３０  入力処理実行部
３００  機種操作パネルＤＢ
３１０  コンテンツＤＢ
３２０  表示操作データ
４００  機種特定情報
５００、５０１  画面例
【図１】
2018174368.tif 000003
【図２】
2018174368.tif 000004
【図３】
2018174368.tif 000005
【図４】
2018174368.tif 000006
【図５】
2018174368.tif 000007